(57)【要約】【課題】  強制空冷方式の回転電機において、過剰な冷却風の風量を削減し、ファン動力とファン騒音を低減する。【解決手段】  固定子と、前記固定子の内径側に所定の空隙を介して対向配置された回転子とから成り、前記回転子と一体となって回転するファンを備え、前記ファンが回転することにより駆動される冷却空気の流路の一部に、流路の断面積を変化させる可変式の絞り機構を有する。【選択図】  図１
2019047694.tif 000002
【特許請求の範囲】
【請求項１】
固定子と、
前記固定子の内径側に所定の空隙を介して対向配置された回転子とから成り、
前記回転子と一体となって回転するファンを備え、
前記ファンが回転することにより駆動される冷却空気の流路の一部に、流路の断面積を変化させる可変式の絞り機構を有することを特徴とする回転電機。
【請求項２】
請求項１に記載の回転電機において、
前記可変式の絞り機構を、回転電機を保持するためのフレームと固定子コアとの間の回転軸方向の流路に設けたことを特徴とする回転電機。
【請求項３】
請求項１に記載の回転電機において、
前記可変式の絞り機構を、回転子コアの回転軸方向に連通させた流路に設けたことを特徴とする回転電機。
【請求項４】
請求項１に記載の回転電機において、
前記可変式の絞り機構を、回転電機の回転子を保持するための軸受を冷却するための流路に設けたことを特徴とする回転電機。
【請求項５】
請求項１に記載の回転電機において、
前記可変式の絞り機構が、流路絞り板と該流路絞り板を駆動する形状記憶合金により構成され、該可変式の絞り機構を流れる冷却空気の温度または該可変式の絞り機構を取り付けた前記回転電機の温度により該流路絞り板が駆動されることを特徴とする回転電機。
【請求項６】
請求項５に記載の回転電機において、
前記可変式の絞り機構は、冷却空気が低温時には、通風断面積を小さくし、また、冷却空気が高温時には、通風断面積を大きくすることを特徴とする回転電機。
【請求項７】
請求項１に記載の回転電機において、
前記可変式の絞り機構が、流路の断面積を変化させるバイメタルにより構成され、該可変式の絞り機構を流れる冷却空気の温度または該可変式の絞り機構を取り付けた前記回転電機の温度により該バイメタルが駆動されることを特徴とする回転電機。
【請求項８】
請求項７に記載の回転電機において、
前記可変式の絞り機構は、冷却空気が低温時には、通風断面積を小さくし、また、冷却空気が高温時には、通風断面積を大きくすることを特徴とする回転電機。
【請求項９】
請求項３に記載の回転電機において、
前記可変式の絞り機構が、流路絞り板と該流路絞り板を押圧する弾性体により構成され、前記回転子の回転により生じる遠心力により前記流路絞り板が駆動されることを特徴とする回転電機。
【請求項１０】
請求項９に記載の回転電機において、
前記可変式の絞り機構は、前記回転子が高回転数時には、通風断面積を小さくし、また、前記回転子が低回転数時には、通風断面積を大きくすることを特徴とする回転電機。
【請求項１１】
請求項１に記載の回転電機が、鉄道車両駆動用電動機であることを特徴とする回転電機。
【請求項１２】
請求項１に記載の回転電機を、鉄道車両駆動用電動機に用いた鉄道車両。
【発明の詳細な説明】
【技術分野】
【０００１】
本発明は、回転電機に係り、特に、空気を用いて冷却する回転電機に関する。
【背景技術】
【０００２】
回転電機は、電動機として電気的な入力を機械的な出力に変換する際に、あるいは、発電機として機械的な入力を電気的な出力に変換する際に、渦電流損失やジュール損失に起因して発熱する。
【０００３】
回転電機を構成する材料には、それぞれ上限温度が規定されており、電動機あるいは発電機として動作する際に、各部の温度がそれぞれの上限温度を超えないように冷却する必要がある。
【０００４】
回転電機の冷却方式として広く用いられているものに、空冷方式がある。
空冷方式は、空気を回転電機の発熱部に直接的あるいは間接的にあてることにより熱を取り除き冷却する冷却方式である。
さらに、空冷方式は、冷却のための空気をファンなどの装置を用いて強制的に流す強制空冷方式と、ファンなどの装置を用いずに自然対流により放熱する自然空冷方式とに分類できる。
【０００５】
従来の強制空冷方式を用いた回転電機では、回転電機の回転子と一体となって回転する通風ファンにより回転電機機内の空気を循環させることにより、回転電機を冷却する構造となっている。
【０００６】
一般にファンの性能は、風量がファンの回転数に比例し、必要な動力がファンの回転数の３乗に比例することが知られている。したがって、ファンが回転子と一体となって回転するような回転電機においては、ファンの風量は回転子の回転数に比例し、ファンの動力は回転子の回転数の３乗に比例する。このような回転電機の例として特許文献１がある。
【先行技術文献】
【特許文献】
【０００７】
【特許文献１】特開２０１３−１２６３０９号公報
【発明の概要】
【発明が解決しようとする課題】
【０００８】
しかしながら、回転電機の損失は、式（１）に示すように、回転数とトルクと効率の逆数の積で得られるため、回転数が高くてもトルクが小さい、あるいは効率が高い場合には、損失が小さくなるため、必要な冷却風量が少ない場合がある。  
回転電機の損失＝（回転数）×（トルク）×（１／効率−１）      式（１）
たとえば鉄道車両駆動用主電動機においては、鉄道車両が停止状態から発進し加速する間と、巡航速度から減速して停止するまでの間の加減速時の損失が大きく、巡航速度で走行する間の損失は小さい。しかし、巡航速度時は、回転電機の回転数が高いため、冷却風量が過剰に大きく、過剰なファン動力による効率低下や、過剰なファン風量による騒音増大の要因となっている。
【０００９】
本発明の目的は、上記のような課題を解決して、回転子と一体となって回転する通風ファンを有する空気冷却式の回転電機において、過剰な冷却風の風量を削減し、ファン動力とファン騒音を低減することにある。
【課題を解決するための手段】
【００１０】
上記目的を達成するための、本発明の「回転電機」の一例を挙げるならば、
固定子と、前記固定子の内径側に所定の空隙を介して対向配置された回転子とから成り、前記回転子と一体となって回転するファンを備え、前記ファンが回転することにより駆動される冷却空気の流路の一部に、流路の断面積を変化させる可変式の絞り機構を有する回転電機である。
【発明の効果】
【００１１】
本発明によれば、過剰な冷却風の風量を削減し、ファン動力とファン騒音を低減できる。
【図面の簡単な説明】
【００１２】
【図１】本発明の実施例１の回転電機を示す断面図である。
【図２】本発明の実施例１の回転電機を示す、絞り機構の低温時の状態を示す断面図である。
【図３】本発明の実施例１の回転電機を示す、絞り機構の高温時の状態を示す断面図である。
【図４】本発明の実施例１の回転電機の効果を示す模式図である。
【図５】本発明の実施例１の回転電機の変形例を示す断面図である。
【図６】本発明の実施例１の回転電機の他の変形例を示す断面図である。
【図７】本発明の実施例２の回転電機を示す断面図である。
【図８】本発明の実施例２の回転電機を示す、絞り機構の低回転時の状態を示す断面図である。
【図９】本発明の実施例２の回転電機を示す、絞り機構の高回転時の状態を示す断面図である。
【図１０】本発明の実施例２の回転電機の効果を示す模式図である。
【図１１】本発明の実施例２の回転電機の変形例を示す断面図である。
【図１２】本発明の実施例２の回転電機の他の変形例を示す断面図である。
【図１３】本発明の実施例３の回転電機を示す断面図である。
【図１４】本発明の実施例３の回転電機の変形例を示す断面図である。
【図１５】本発明の実施例４の回転電機を示す、絞り機構の低温時の断面図である。
【図１６】本発明の実施例４の回転電機を示す、絞り機構の高温時の断面図である。
【図１７】本発明の実施例５の回転電機を搭載する車両の模式図である。
【図１８】本発明の実施例５の回転電機を車両に搭載したときの車両床下の模式図である。
【発明を実施するための形態】
【００１３】
以下、本発明の実施の形態を、図面を用いて説明する。なお、実施の形態を説明するための各図において、同一の構成要素にはなるべく同一の名称、符号を付して、その繰り返しの説明を省略する。
【実施例１】
【００１４】
図１から図４を用いて、本発明の第１の実施例の回転電機を説明する。
【００１５】
図１に、本発明を誘導電動機に適用した第１の実施例の断面図を示す。
なお、これ以降の実施例の説明では、本発明を適用する回転電機を誘導電動機として説明するが、特にこれに限定するものではなく、強制空冷式であれば永久磁石型同期電動機などの他の電動機に本発明を適用しても同様の効果を得ることができる。また、電動機に限らず、発電機にも適用することができる。
【００１６】
誘導電動機である回転電機１は、固定子２と、回転子３と、固定子を保持するためのフレーム４から構成されている。
【００１７】
固定子２は、固定子コア２０と、固定子コア２０の内径側に設けられ、かつ、周方向に所定の間隔をもって形成され、回転軸方向に延伸する複数の固定子スロットに巻き回された固定子コイル２２から構成されている。フレーム４と固定子コア２０との間には、回転電機内の冷却空気６を循環させるための空気流路３０１が設けられており、空気流路３０１の出口部分に絞り機構５を設置している。
【００１８】
また、回転子３は、固定子コア２０と径方向に所定の空隙をもって対向して配置された回転子コア３０と、回転子コア３０の外径側に設けられ、かつ、周方向に所定の間隔をもって形成され、回転軸方向に延伸する複数の回転子スロットに挿入された界磁部材である複数の回転子バー３２と、各回転子バー３２を両軸端で短絡するための導体であるエンドリング３３と、各回転子バー３２とエンドリング３３とを保持するためのリテイニングリング３４と、回転子コア３０が嵌合されているシャフト３６から構成されている。シャフト３６は軸受３７に回転可能に保持されている。また、回転子コア３０には冷却空気６の通路となる空気通路３０２が回転軸方向に貫通して設けられている。
【００１９】
また、回転子３には、冷却空気６を通風するためのファン３５が取り付けられており、ファン３５は回転子３と一体となって回転し、冷却空気６を回転電機内部に循環通風させる。回転子３と一体となって回転するファン３５によって励起される回転電機内の空気は、固定子コイルエンド２３にあたり固定子コイル２２から徐熱した後、フレーム４と固定子コア２０との間に設けた空気通路３０１に流れる。冷却空気６は、空気通路３０１を流れる間に、固定子コア２０から徐熱するとともに、フレーム４により冷却される。空気通路３０１を通過した冷却空気は、絞り機構５を通過した後に、回転子コア３０に設けた空気通路３０２に流れ、ファン３５に再び流入する。
【００２０】
図２及び図３に、形状記憶合金を用いた絞り機構５を示す。
図２は、絞り機構５を通過する冷却空気６が低温時の様子であり、図３は、冷却空気６が高温時の様子である。
【００２１】
絞り機構５は、形状記憶合金から成る第１のバネ５１と、非形状記憶合金から成る第２のバネ５２と、第１のバネ５１と第２のバネ５２との間に取り付けた流路絞り板５３から構成されている。
絞り機構５を通過する冷却空気６の温度が低く、第１のバネ５１を構成する形状記憶合金の変態温度よりも低い場合には、第１のバネ５１が第２のバネ５２に押されて流路絞り板５３を押し上げる。これにより空気通路３０１の一部が流路絞り板５３によりさえぎられるために、空気通路の通風断面積が小さくなる。
【００２２】
一方、冷却空気温度が上昇し、第１のバネ５１を構成する形状記憶合金の変態温度よりも高くなると、図３に示したように、第１のバネ５１はあらかじめ設定した形状に回復し、第２のバネ５２を押し下げ、流路絞り板５３を押し下げる。これにより、空気通路３０１の通風断面積が広くなる。これにより、冷却空気の温度が低いときは空気通路３０２の通風断面積を小さく、冷却空気の温度が高いときは空気通路３０２の通風断面積を大きくすることが可能となる。
【００２３】
図４は、本実施例の効果を模式的に表した図である。
冷却空気が低温時には、絞り機構により通風路の流量-圧力特性はＯ−Ａを通る曲線で表され、ファンの動作点はＡ点、そのときの風量はＱＡ、ファン動力はＷaとなる。
冷却空気の温度が上昇し、絞り機構により流路の通風断面積が大きくなると、通風路の流量−圧力特性はＯ−Ｂを通る曲線に変化し、そのときのファンの動作点はＢ点、風量はＱＢ、ファン動力はＷｂとなる。
【００２４】
本実施例の絞り機構を用いない場合には、通風路の流量−圧力特性は、冷却空気の温度によらず常にＯ−Ｂとなるため、ファン動力も常にＷｂとなる。すなわち本実施例の絞り機構により、冷却空気が低温のときの空気流量をＱＢからＱＡに低減し、ファン動力をＷｂからＷａに低減することができる。
【００２５】
なお、図１では、通風路３０１の出口側に絞り機構５を取り付けているが、変形例として、図５に示すように通風路３０１の中間に取り付けたり、図６に示すように入口側に取り付けても同等の効果を得ることができる。
【００２６】
本実施例によれば、過剰な冷却風の風量を削減し、ファン動力とファン騒音を低減することができる。
【実施例２】
【００２７】
本発明の第２の実施例の回転電機を、図７〜図１０を用いて説明する。
【００２８】
図７は、本発明を誘導電動機に適用した第２の実施例の断面図である。
第１の実施例との違いは、絞り機構５をフレーム４と固定子コア２０との間の通風路３０１から、回転子コア３０に設けた通風路３０２の入口に設けた点である。
【００２９】
図８は、第２の実施例の絞り機構５の低回転数時の状態を示した図である。絞り機構５は、第１のバネ５１と流路絞り板５３から構成されており、第１のバネ５１は非形状記憶合金からできている。低回転数時には、第１のバネ５１が流路絞り板５３を下側（回転子の内径側）に押し付けることにより通風路３０２の通風断面積を広く保つ。
一方、図９は、本発明の第２の実施例の絞り機構５の高回転数時の状態を示した図である。回転子の回転数が増大することにより、第１のバネ５１および流路仕切り板５３に上向き（回転子の外径向き）に遠心力が働き、第１のバネ５１が縮められ、流路仕切り板５３が上側（回転子の外径側）に移動する。これにより、回転子の通風路３０２の通風断面積が小さくなる。
【００３０】
図１０は、本実施例の効果を模式的に表した図である。
回転子の回転数が低回転（Ｎ１）の時には、通風路の圧力損失特性はＯ−Ｂを通る曲線で表され、ファンの動作点はＣ点、そのときの風量はＱｃ、ファン動力はＷｃとなる。
回転子の回転数が高回転（Ｎ２、Ｎ２＞Ｎ１）となると、本実施例の絞り機構がない場合には、ファンの動作点はＢ点となり、そのときの風量はＱＢ、ファン動力はＷｂとなる。
一方、本実施例の絞り機構を設けることにより、通風路の圧力損失特性がＯ−Ａを通る曲線に変わり、回転数Ｎ２のときのファンの動作点がＡ点、ファン風量がＱＡ、ファン動力がＷａとなる。この結果、本実施例の絞り機構がない場合と比較して、ファン風量をＱＢからＱＡに、ファン動力をＷｂからＷａに低減することができる。
【００３１】
なお、図７では絞り機構を回転子の通風路３０２の入口側に設けたが、変形例として、図１１に示すように通風路３０２の中間や、図１２に示すように通風路の出口側に設けても同等の効果を得ることができる。
【００３２】
本実施例によれば、過剰な冷却風の風量を削減し、ファン動力とファン騒音を低減することができる。
【実施例３】
【００３３】
図１３は、本発明の第３の実施例を示す回転電機の断面図である。
本実施例では、絞り機構５を軸受冷却風の通風路３０３に設けている。ファン３５には、軸受冷却用の羽根３８が設けられており、シャフト３６とともにこれが回転することにより軸受冷却風が発生する。軸受冷却風の通風路３０３に、図２及び図３で示した第１の実施例と同様の絞り機構５を取り付けることにより、軸受冷却風に対しても、低温時の通風量を低減し、騒音、ファン動力を低減する効果が得られる。
【００３４】
図１３では、絞り機構５を軸受冷却風の排気側に取り付けているが、変形例として、図１４に示すように絞り機構５を吸気側に取り付けても同等の効果を得ることができる。
本実施例によれば、軸受冷却風について、過剰な冷却風の風量を削減し、ファン動力とファン騒音を低減することができる。
【実施例４】
【００３５】
図１５および図１６は、絞り機構５にバイメタル材５４を用いた実施例である。バイメタル材とは、熱膨張率が異なる２種類の金属を接合し、熱膨張率の違いを利用して温度変化により変形する材料である。
【００３６】
図１５は、通風路内にバイメタル材５４による絞り機構５を取り付けた例である。冷却空気の温度が上昇すると、図１６のように、バイメタル材５４が温度上昇に伴い湾曲する。これにより通風断面積が広くなり、実施例１に示した絞り機構５と同等の効果を得ることができる。本実施例で示したバイメタル材５４による絞り機構は、実施例１のフレーム４と固定子コア２０との間の通風路３０１や、実施例２の回転子コア３０の通風路３０２、あるいは、実施例３の軸受冷却風の通風路３０３のいずれに設置しても、同様の効果を得ることができる。
【００３７】
なお、絞り機構５に、実施例１では形状記憶合金のばねにより移動する流路仕切り板を、実施例２では遠心力により移動する流路仕切り板を、実施例４ではバイメタル材を用いたが、絞り機構５をアクチュエータ等の駆動手段により流路断面積を変化させるように構成しても良い。
【実施例５】
【００３８】
図１７および図１８は、上記各実施例の回転電機を、鉄道車両駆動用の電動機として用いた実施例である。図１７は、上記各実施例の回転電機を、鉄道車両駆動用の電動機として用いた鉄道車両４００を側面から見た模式図である。また、図１８は鉄道車両の床下の機器配置を示した模式図である。本実施例に示した鉄道車両では、車両の上部に設けた集電装置４０４を介して、車両の駆動に必要な電力を架線からとりこみ、電力変換装置４０３により、電動機１に駆動電力として供給する。電動機１は、減速機４０６を介して車輪４０２を接続されている。図において、４０１は台車、４０５は車軸である。
【００３９】
鉄道車両駆動用電動機においては、鉄道車両が停止状態から発進して加速する間と、巡航速度から減速して停止するまでの間の加減速時の損失が大きく、巡航速度で走行する間の損失は小さい。
【００４０】
実施例１の回転電機を鉄道車両駆動用電動機に用いることにより、冷却空気温度が上昇する加減速時には空気通路の通風断面積が広くなり、また、冷却空気温度が低い巡航速度で走行する間は、空気通路の通風断面積が小さくなる。これにより、巡航速度で走行する時の、過剰な冷却風の風量を削減し、ファン動力とファン騒音を低減することができる。
【００４１】
また、実施例２の回転電機を鉄道車両駆動用電動機に用いることにより、電動機が低速回転する加減速時には空気通路の通風断面積が広くなり、また、電動機が高速回転する巡航速度で走行する間は、空気通路の通風断面積が小さくなる。これにより、同様に、巡航速度で走行する時の、過剰な冷却風の風量を削減し、ファン動力とファン騒音を低減することができる。
【符号の説明】
【００４２】
１  回転電機
２  固定子
３  回転子
４  フレーム
５  絞り機構
６  冷却空気
２０  固定子コア
２２  固定子コイル
２３  固定子コイルエンド
３０  回転子コア
３２  回転子バー
３３  エンドリング
３４  リテイニングリング
３５  ファン
３６  シャフト
３７  軸受
３８  軸受冷却用の羽根
５１  第１のバネ
５２  第２のバネ
５３  流路絞り板
５４  バイメタル板
５５  高熱膨張材
５６  低熱膨張材
３０１  フレームと固定子コアとの間の空気通路
３０２  回転子コアの空気通路
３０３  軸受冷却風の空気通路
４００  鉄道車両
４０１  台車
４０２  車輪
４０３  電力変換装置
４０４  集電装置
４０５  車軸
４０６  減速機
【図１】
2019047694.tif 000003
【図２】
2019047694.tif 000004
【図３】
2019047694.tif 000005
【図４】
2019047694.tif 000006
【図５】
2019047694.tif 000007
【図６】
2019047694.tif 000008
【図７】
2019047694.tif 000009
【図８】
2019047694.tif 000010
【図９】
2019047694.tif 000011
【図１０】
2019047694.tif 000012
【図１１】
2019047694.tif 000013
【図１２】
2019047694.tif 000014
【図１３】
2019047694.tif 000015
【図１４】
2019047694.tif 000016
【図１５】
2019047694.tif 000017
【図１６】
2019047694.tif 000018
【図１７】
2019047694.tif 000019
【図１８】
2019047694.tif 000020